(57)【要約】【課題】クライアント装置においてブラウザのソフトウェアからディジタル複合装置のヘルプリストのデータを参照することができる。【解決手段】ディジタル複合装置２０はＨＴＴＰサーバ機能を有し、その主制御部１は、クライアントパーソナルコンピュータ３０のブラウザのソフトウェアからディジタル複合装置２０のためのヘルプファイルを参照指示するときに用いるヘルプボタン１５１を含む指示画面の表示を指示するためのソース要求信号に応答して、ヘルプ情報管理テーブル７ａを参照して、指示画面上のヘルプボタン１５１を、ヘルプファイルが格納されたクライアント装置の記憶装置のロケーションにリンクさせた画像データを含むＨＴＴＰソース信号をクライアントパーソナルコンピュータ３０に返信する。【選択図】図５
2005259003.tif 000002
【特許請求の範囲】
【請求項１】
情報処理装置のためのヘルプファイルを、クライアント装置の記憶装置の所定のロケーションに格納してなる少なくとも１個のクライアント装置がネットワークを介して接続され、サーバ機能を備えた情報処理装置であって、
ヘルプファイルが格納されたクライアント装置の記憶装置のロケーションを記憶する記憶手段と、
クライアント装置のブラウザのソフトウェアから情報処理装置のためのヘルプファイルを参照指示するときに用いるリンク情報を、上記ヘルプファイルが格納されたクライアント装置の記憶装置のロケーションに基づいて生成する制御手段とを備えたことを特徴とする情報処理装置。
【請求項２】
上記制御手段は、上記指示画面の表示を指示するためのソース要求信号に応答して、上記記憶手段に記憶されたロケーションを参照して、上記ヘルプファイルを格納したロケーション情報を付したヘルプボタンを表示するためのソース信号を上記クライアント装置に返信することを特徴とする請求項１記載の情報処理装置。
【請求項３】
上記記憶手段は、クライアント装置の記憶装置においてヘルプファイルを格納したベースディレクトリを含むヘルプ情報管理テーブルを記憶し、
上記制御手段は、上記指示画面の表示を指示するためのソース要求信号に応答して、上記ヘルプ情報管理テーブルを参照して、上記ヘルプファイルを格納したベースディレクトリを含むヘルプファイルのリンクＵＲＬを付したヘルプボタンを表示するためのソース信号を上記クライアント装置に返信することを特徴とする請求項１又は２記載の情報処理装置。
【請求項４】
上記記憶手段は、クライアント装置の固有アドレスに対応して、クライアント装置の記憶装置においてヘルプファイルを格納したベースディレクトリを含むヘルプ情報管理テーブルを記憶し、
上記制御手段は、クライアント装置の固有アドレスを含み上記指示画面の表示を指示するためのソース要求信号に応答して、上記ヘルプ情報管理テーブルを参照して、上記クライアント装置の固有アドレスに基づいて、上記ヘルプファイルを格納したベースディレクトリを含むヘルプファイルのリンクＵＲＬを付したヘルプボタンを表示するためのソース信号を上記クライアント装置に返信することを特徴とする請求項１又は２記載の情報処理装置。
【請求項５】
上記ヘルプファイルのリンクＵＲＬは、上記ヘルプファイルを格納したベースディレクトリと、上記ヘルプファイルのインデックスとを含むことを特徴とする請求項３又は４記載の情報処理装置。
【請求項６】
上記サーバ装置はＨＴＴＰサーバ装置であることを特徴とする請求項１乃至５のうちのいずれか１つに記載の情報処理装置。
【発明の詳細な説明】
【技術分野】
【０００１】
本発明は、例えばサーバ機能を備えたディジタル複合装置やファクシミリサーバ装置などの情報処理装置に関する。
【背景技術】
【０００２】
コピー、プリンタ及びスキャナー機能付きファクシミリ装置であるディジタル複合装置と、パーソナルコンピュータなどの複数のクライアント装置とがローカルエリアネットワーク（以下、ＬＡＮという。）を介して接続してなるＬＡＮシステムが実用化されている。この従来技術のＬＡＮシステムにおいて、ディジタル複合装置内のスキャナーは、原稿画像を読み取り画像データに変換した後、各クライアント装置に対応する画像メモリ内のメモリボックスに格納し、各クライアント装置からの転送指示要求信号に応答して画像メモリ内のメモリボックスから画像データを読み出して対応するクライアント装置に対してＬＡＮを介して転送を行う。
【０００３】
また、例えば、特許文献１において、ファクシミリ装置とパーソナルコンピュータとを接続して、ファクシミリ装置の諸機能に関する情報をユーザが得られ易くするためのファクシミリ装置システム（以下、従来例という。）が提案されている。当該ファクシミリ装置システムにおいて、予め、ヘルプリストに関するデータ及びオペレーションプログラムをパーソナルコンピュータ側の記憶手段にインストールしておき、次いで、パーソナルコンピュータとファクシミリ装置とを接続し、ユーザがファクシミリ装置側のヘルプキーを押下すると、ファクシミリ装置側から接続確認コマンドが送信されて、パーソナルコンピュータと接続されているか否かを判断する。パーソナルコンピュータと接続されていると判断されると、次いで、パーソナルコンピュータが起動されているか否かを判断する。パーソナルコンピュータが起動されていると判断するときには、パーソナルコンピュータ側の外部記憶装置に格納されているヘルプリストのデータを、ファクシミリ装置側に伝送し、ファクシミリ装置のプリンタにて記録紙に出力する。
【０００４】
【特許文献１】特開平９−１３９７９２号公報。
【発明の開示】
【発明が解決しようとする課題】
【０００５】
しかしながら、従来例に係るファクシミリ装置システムにおいては、クライアント装置であるパーソナルコンピュータにおいて、ブラウザのソフトウェアから、ファクシミリ装置のヘルプリストのデータを参照することができないという問題点があった。
【０００６】
本発明の目的は以上の問題点を解決し、クライアント装置であるパーソナルコンピュータにおいて、ブラウザのソフトウェアから、ファクシミリ装置のヘルプリストのデータを参照することができる情報処理装置を提供することにある。
【課題を解決するための手段】
【０００７】
本発明に係る情報処理装置は、情報処理装置のためのヘルプファイルを、クライアント装置の記憶装置の所定のロケーションに格納してなる少なくとも１個のクライアント装置がネットワークを介して接続され、サーバ機能を備えた情報処理装置であって、
ヘルプファイルが格納されたクライアント装置の記憶装置のロケーションを記憶する記憶手段と、
クライアント装置のブラウザのソフトウェアから情報処理装置のためのヘルプファイルを参照指示するときに用いるリンク情報を、上記ヘルプファイルが格納されたクライアント装置の記憶装置のロケーションに基づいて生成する制御手段とを備えたことを特徴とする。
【０００８】
上記情報処理装置において、上記制御手段は、上記指示画面の表示を指示するためのソース要求信号に応答して、上記記憶手段に記憶されたロケーションを参照して、上記ヘルプファイルを格納したロケーション情報を付したヘルプボタンを表示するためのソース信号を上記クライアント装置に返信することを特徴とする。
【０００９】
また、上記情報処理装置において、上記記憶手段は、クライアント装置の記憶装置においてヘルプファイルを格納したベースディレクトリを含むヘルプ情報管理テーブルを記憶し、
上記制御手段は、上記指示画面の表示を指示するためのソース要求信号に応答して、上記ヘルプ情報管理テーブルを参照して、上記ヘルプファイルを格納したベースディレクトリを含むヘルプファイルのリンクＵＲＬを付したヘルプボタンを表示するためのソース信号を上記クライアント装置に返信することを特徴とする。
【００１０】
さらに、上記情報処理装置において、上記記憶手段は、クライアント装置の固有アドレスに対応して、クライアント装置の記憶装置においてヘルプファイルを格納したベースディレクトリを含むヘルプ情報管理テーブルを記憶し、
上記制御手段は、クライアント装置の固有アドレスを含み上記指示画面の表示を指示するためのソース要求信号に応答して、上記ヘルプ情報管理テーブルを参照して、上記クライアント装置の固有アドレスに基づいて、上記ヘルプファイルを格納したベースディレクトリを含むヘルプファイルのリンクＵＲＬを付したヘルプボタンを表示するためのソース信号を上記クライアント装置に返信することを特徴とする。
【００１１】
また、上記情報処理装置において、上記ヘルプファイルのリンクＵＲＬは、上記ヘルプファイルを格納したベースディレクトリと、上記ヘルプファイルのインデックスとを含むことを特徴とする。
【００１２】
さらに、上記情報処理装置において、上記サーバ装置はＨＴＴＰサーバ装置であることを特徴とする。
【発明の効果】
【００１３】
従って、本発明に係る情報処理装置によれば、ヘルプファイルが格納されたクライアント装置の記憶装置のロケーションを記憶し、クライアント装置のブラウザのソフトウェアから情報処理装置のためのヘルプファイルを参照指示するときに用いるリンク情報を、上記ヘルプファイルが格納されたクライアント装置の記憶装置のロケーションに基づいて生成する。それ故、クライアント装置のブラウザのソフトウェアから情報処理装置のためのヘルプファイルを参照することができる。また、ヘルプファイルはクライアント装置に記憶しているので、ヘルプファイルのデータが大容量化しても、情報処理装置本体の記憶資源を節約できる。
【発明を実施するための最良の形態】
【００１４】
以下、本発明に係る実施形態について図面を参照して説明する。
【００１５】
＜実施形態＞
図１は、本発明に係る実施形態である、コピー、プリンタ及びスキャナー機能付きのファクシミリ装置であるディジタル複合装置２０を備えたＬＡＮシステムの構成を示すブロック図である。
【００１６】
この実施形態に係るＬＡＮシステムは、複数Ｎ台のクライアントパーソナルコンピュータ３０−１乃至３０−Ｎ（以下、総称して符号３０を付す。）と、公衆電話回線Ｌを介して公衆電話網８０に接続されたディジタル複合装置２０と、インターネット９０に接続されたルータ装置６０とがＬＡＮ７０を介して接続されて構成されてなる。各クライアントパーソナルコンピュータ３０からルータ装置６０やメールサーバ装置（図示せず。）を介してインターネット９０に接続することにより、ホームページの閲覧や電子メールの送受信を行うことができ、また、各クライアントパーソナルコンピュータ３０は、ディジタル複合装置２０に対してアクセスすることにより、当該装置２０が有するコピー、プリンタ、スキャナー及びファクシミリの各機能を共通に利用することができるように構成されている。
【００１７】
この実施形態に係るクライアントパーソナルコンピュータ３０のハードディスクドライブ１０８の所定のロケーションに、情報処理装置であるディジタル複合装置２０の動作や操作を説明するためのヘルプファイル１０８ａを予め格納しておく。一方、ディジタル複合装置２０はＨＴＴＰサーバ機能を有し、ディジタル複合装置２０のＲＡＭ７内のヘルプ情報管理テーブル７ａには、図４に示すように、各クライアントパーソナルコンピュータ３０の固有アドレスであるＩＰアドレスに対応して、そのハードディスクドライブ１０８においてヘルプファイル１０８ａを格納したベースディレクトリを格納している。ディジタル複合装置２０の主制御部１は、クライアントパーソナルコンピュータ３０のブラウザのソフトウェアからディジタル複合装置２０のためのヘルプファイルを参照指示するときに用いるヘルプボタン１５１を含む指示画面（例えば、図６のファクシミリ送信を指示するための送信ダイアログ画面である。）の表示を指示するためのソース要求信号に応答して、上記ヘルプ情報管理テーブル７ａを参照して、上記指示画面上のヘルプボタン１５１を、上記ヘルプファイルが格納されたクライアント装置の記憶装置のロケーションにリンクさせた画像データであり、例えば、ヘルプ情報管理テーブル７ａを参照して、クライアントパーソナルコンピュータ３０のＩＰアドレスに基づいて、上記ヘルプファイル１０８ａを格納したベースディレクトリを含むヘルプファイルのリンクＵＲＬ（Uniform Resource Locator）を付したヘルプ情報のヘルプボタン１５１を表示するためのＨＴＴＰソース信号をクライアントパーソナルコンピュータ３０に返信することを特徴としている。
【００１８】
図２は、図１のクライアントパーソナルコンピュータ３０の構成を示すブロック図である。
【００１９】
図２において、クライアントパーソナルコンピュータ３０は、公知のパーソナルコンピュータである外部端末装置であって、画像データや文字データの生成や記録、格納などの処理を実行する。本実施形態においては、クライアントパーソナルコンピュータ３０は、一例として、スキャナーにより走査された画像データを受信する外部端末装置や、クライアントパーソナルコンピュータ３０で生成された原稿画像の画像データ（例えば、ワードプロセッサのソフトウェアで作成された原稿の画像データをいう。）をディジタル複合装置２０を介して相手先のファクシミリ装置又はディジタル複合装置などの受信側通信端末装置にファクシミリ送信するクライアント装置として用いられる。また、クライアントパーソナルコンピュータ３０は、ブラウザのソフトウェアを用いてディジタル複合装置２０のためのヘルプファイル１０８ａを参照するためのクライアント装置として用いることもできる。
【００２０】
主制御部１０１は具体的にはＣＰＵで構成されており、バス１１３を介して以下のハードウェア各部と接続されていてそれらを制御するほか、後述する種々のソフトウェアの機能を実行する。このクライアントパーソナルコンピュータ３０において、画像読取部及び画像記録部（図示せず。）はオプションで設けられる。表示部１０４は、液晶表示装置（ＬＣＤ）又はＣＲＴディスプレイ等の表示装置であり、当該クライアントパーソナルコンピュータ３０の動作状態を表示したり、送信すべき原稿の画像データ、及び受信した画像データの表示を行う。操作部１０５は、例えばキーボードであり、文字データや指示コマンドを入力するためのものである。
【００２１】
ＲＯＭ１０６は、当該クライアントパーソナルコンピュータ３０の動作に必要であって主制御部１０１によって実行される種々のソフトウェアのプログラムを予め格納する。また、ＲＡＭ１０７は、ＳＲＡＭ、ＤＲＡＭ、ＳＤＲＡＭ等で構成され、主制御部１０１のワーキングエリアとして使用されてプログラムの実行時に発生する一時的なデータを記憶する。さらに、ハードディスクドライブ１０８は、記録媒体を内蔵する記憶装置であり、以下のファイル又は領域を含む。
（ａ）ヘルプファイル１０８ａ：ディジタル複合装置２０の動作や操作を説明するためのファイルである。
（ｂ）画像データメモリ領域１０８ｂ：画像データを格納するメモリ領域である。
（ｃ）プログラムメモリ領域１０８ｃ：実行するアプリケーションプログラム（例えば、ファクシミリ送受信処理のプログラムを含む。）や画像データを格納するメモリ領域である。
【００２２】
以上のように構成されたクライアントパーソナルコンピュータ３０において、クライアントパーソナルコンピュータ３０の主制御部１０１は、ディジタル複合装置２０の画像読取部２により走査されて変換された後メモリボックス領域８ａ内の対応するメモリボックスに格納された画像データを自身の装置内に転送するとき、対応するメモリボックスを指示する指示データを含む転送指示要求信号をＬＡＮインターフェース１１２及びＬＡＮ７０を介してディジタル複合装置２０内の主制御部１に対して送信し、これに応答して、ディジタル複合装置２０からＬＡＮ７０を介して送信されてくる画像データを受信してハードディスクドライブ９に格納する。なお、ヘルプファイル１０８ａの参照方法については詳細後述する。
【００２３】
図３は、図１のディジタル複合装置２０の構成を示すブロック図である。
【００２４】
図３において、ディジタル複合装置２０は、従来のＧ３方式等のファクシミリ通信機能に加えて、コピー、プリンタ、及びスキャナーの各機能を備えている。主制御部１は具体的にはＣＰＵで構成されており、バス１３を介して以下のハードウェア各部と接続されていてそれらを制御するほか、後述する種々のソフトウェアの機能を実行する。画像読取部２は、ＣＣＤ等を利用したスキャナーで原稿を読み取り、白黒２値に変換したドット画像データを出力する。画像記録部３は例えば電子写真方式等のプリンタ装置であり、画像読取部２により走査されて変換された画像データや他のファクシミリ装置からファクシミリ通信により受信した画像データをハードコピーとしてプリントアウトして記録したり、文字データを記録する。
【００２５】
表示部４は、液晶表示装置（ＬＣＤ）又はＣＲＴディスプレイ等の表示装置であり、当該ディジタル複合装置２０の動作状態を表示したり、送信すべき原稿の画像データ、及び受信した画像データの表示を行う。操作部５は、当該ディジタル複合装置２０を操作するために必要な文字キー、ダイヤル用テンキー、短縮ダイヤルキー、ワンタッチダイヤルキー、及び各種のファンクションキー等を備える。なお、上述の表示部４をタッチパネル方式とすることにより、この操作部５の各種キーの内の一部又は全部を代用するように構成してもよい。
【００２６】
ＲＯＭ６は、当該ディジタル複合装置２０の動作に必要であって主制御部１によって実行される種々のソフトウェアのプログラムを予め格納し、本実施形態では、少なくとも、図５のヘルプ情報表示処理のプログラムを含む。ＲＡＭ７は、ＳＲＡＭ、ＤＲＡＭ、ＳＤＲＡＭ等で構成され、主制御部１のワーキングエリアとして使用されてプログラムの実行時に発生する一時的なデータを記憶する。なお、ＲＡＭ７としてフラッシュメモリを使用した場合には、停電、装置の移動等のために電源が遮断された場合にもそのデータの内容が失われない。ここで、ＲＡＭ７は、以下のテーブルを格納する。
（ａ）ヘルプ情報管理テーブル７ａ：図４に示すように、各クライアントパーソナルコンピュータ３０−ｎのプライベートＩＰアドレスに対応して、ヘルプファイル１０８ａが格納されたハードディスクドライブ１０８のベースディレクトリの情報を格納している。
（ｂ）メモリボックス管理テーブル７ｂ：画像メモリ８内のメモリボックス領域８ａを管理するためのテーブルであって、ＬＡＮ７０に接続されたクライアントパーソナルコンピュータ３０又はそのユーザに対応して付与されるメモリボックス番号と、そのユーザの受信者名と、画像メモリ８における画像データの格納アドレスと、クライアントパーソナルコンピュータ３０又はそのユーザの電子メールアドレス（ファクシミリ受信の通知など、必要があるとき）とを格納する。
【００２７】
画像メモリ８はＤＲＡＭ等で構成され、送信すべき画像データ又は受信した画像データ、もしくは走査されて変換された画像データを記憶する。ここで、画像メモリ８は、複数のクライアントパーソナルコンピュータ３０又はそのユーザに対応した複数のメモリボックスに区分されたメモリボックス領域８ａを備える。各クライアントパーソナルコンピュータ３０は対応するメモリボックスに、ファクシミリ機能により送受信される画像データ、もしくは、スキャナー機能又はコピー機能により走査されて変換された画像データ、プリンタ機能を用いるときの画像データを転送して一時的に格納し、当該メモリボックスから読み出すときは、転送指示要求信号を送信することにより対応するメモリボックスから読み出して転送させる。さらに、ハードディスクドライブ９は、記録媒体を内蔵する記憶装置であり、種々のデータやプログラムを格納する。
【００２８】
ファックスモデム１０は、公衆電話回線Ｌに接続され、通常のファクシミリ通信用のファックスモデムの機能を有するモデムである。ＮＣＵ（ネットワーク制御回路：Network Control Unit）１１はアナログの公衆電話回線Ｌの直流ループなどの閉結及び開放の動作を行いかつ自動ダイヤル機能を有するハードウェア回路であり、必要に応じてファックスモデム１０を公衆電話回線Ｌに接続する。ここで、ＮＣＵ１１は、発信電話番号通知サービスにおけるＩＤ受信端末起動信号、通常の電話呼出信号の検出を行うとともに、必要に応じて発信電話番号通知サービスにおける１次応答信号及び２次応答信号を発信することができる。なお、ＮＣＵ１１を所定のターミナルアダプタ及びＤＳＵ（加入者線終端装置：Digital Service Unit）を介して、ベースバンド伝送方式のディジタル回線（例えば、ＩＳＤＮ回線）に接続するようにしてもよい。
【００２９】
さらに、ＬＡＮインターフェース１２は、ＬＡＮ７０に接続され、ＬＡＮ７０からの信号やデータを受信する一方、ＬＡＮ７０に対して信号やデータを送信して信号変換やプロトコル変換などのＬＡＮ通信に係るインターフェース処理を実行する。
【００３０】
以上のように構成されたディジタル複合装置２０のファクシミリ通信機能において、各クライアントパーソナルコンピュータ３０−１乃至３０−Ｎから転送されたドット画像データ、又は画像読取部２により読み取られたドット画像データはファクシミリ通信の規格で定められているＭＨ，ＭＲ，ＭＭＲ等の符号化方式に従ってソフトウェアにより符号化された後、相手先のファクシミリ装置に送信される一方、逆に相手先のファクシミリ装置から受信した符号化データもソフトウェアにより画像データに復号化された後、画像メモリ８に格納され、必要に応じて画像記録部３でプリントされる。
【００３１】
図５は図３のディジタル複合装置２０の主制御部１によって実行されるヘルプ情報表示処理を示すフローチャートである。
【００３２】
図５において、まず、ステップＳ１において、クライアントパーソナルコンピュータ３０−ｎからヘルプボタン１５１を含む指示画面の表示を指示するためのＨＴＴＰソース要求信号を受信したか否かが判断され、ＹＥＳとなったとき、ステップＳ２において、ＨＴＴＰソース要求信号から、アクセス元端末であるクライアントコンピュータ３０−ｎのＩＰアドレスを取得する。次いで、ステップＳ３において、ヘルプ情報管理テーブル７ａに登録されているＩＰアドレスであるか否かが判断され、ＹＥＳのときはステップＳ４に進む一方、ＮＯのときはステップＳ６に進む。ステップＳ４において、ヘルプ情報管理テーブル７ａを参照して、ＩＰアドレスに対応したベースディレクトリ名を取得し、ステップＳ５においてベースディレクトリ名＋ヘルプファイルＩｎｄｅｘ．ｈｔｍのリンクＵＲＬを付したヘルプボタンを表示するＨＴＴＰソース信号を対応するクライアントパーソナルコンピュータ３０−ｎに対して返信し、当該ヘルプ情報表示処理を終了する。一方、ステップＳ６では、ヘルプボタンを表示しないＨＴＴＰソース信号を、対応するクライアントパーソナルコンピュータ３０−ｎに対して返信し、当該ヘルプ情報表示処理を終了する。
【００３３】
図６は、本実施形態においてヘルプファイルを参照することを指示するヘルプボタン１５１を含む指示画面である「送信ダイアログ」のときの画面の一例を示す正面図である。図６において、所定の原稿をファクシミリ送信する場合の設定項目を入力する画面である「送信ダイアログ」の画面が図示されており、ファクシミリ送信では、宛先のファクシミリ番号など、電子メールの電子メールアドレス、電子メール本文、送信文書、応用通信、配布設定、履歴消去指示、優先度などを設定できるように構成されている。また、当該画面の右下部において、ヘルプファイルの参照を指示するためボタンであって、当該ヘルプファイルのロケーション（例えば、対応するクライアントパーソナルコンピュータ３０−ｎ内のロケーションであり、Ｃ：￥ＷｅｂＨｅｌｐ￥Ｉｎｄｅｘ．ｈｔｍｌ）にリンクされた「ヘルプ」ボタン１５１、当該画面の設定を指示するための「設定」ボタン１５２、当該画面を閉じることを指示するための「閉じる」ボタン１５３が設けられている。ここで、「ヘルプ」ボタン１５１をマウスでクリックしたとき、ヘルプファイルの参照を指示することができ、次の図７のヘルプファイルの画面に以降できる。このとき、図５のステップＳ１からステップＳ５までの処理が実行される。
【００３４】
図７は、本実施形態においてヘルプファイルを参照したときのヘルプファイルの画面の一例を示す正面図である。図７において、ヘルプファイルの目次を選択するための「目次」ボタン２０１と、ヘルプファイルの索引を指示するための「索引」ボタン２０２と、ヘルプファイルの目次において所定の項目を選択したときのヘルプデータの一例がこれらの右横の欄２０３に表示されている。
【００３５】
以上説明したように、本実施形態に係るディジタル複合装置２０によれば、ＨＴＴＰサーバ機能を有し、その主制御部１は、クライアントパーソナルコンピュータ３０のブラウザのソフトウェアからディジタル複合装置２０のためのヘルプファイルを参照指示するときに用いるヘルプボタン１５１を含む指示画面（例えば、図６のファクシミリ送信を指示するための送信ダイアログ画面である。）の表示を指示するためのソース要求信号に応答して、上記ヘルプ情報管理テーブル７ａを参照して、上記指示画面上のヘルプボタン１５１を、上記ヘルプファイルが格納されたクライアント装置の記憶装置のロケーションにリンクさせた画像データであり、例えば、ヘルプ情報管理テーブル７ａを参照して、クライアントパーソナルコンピュータ３０のＩＰアドレスに基づいて、上記ヘルプファイル１０８ａを格納したベースディレクトリを含むヘルプファイルのリンクＵＲＬ（Uniform Resource Locator）を付したヘルプ情報のヘルプボタン１５１を表示するためのＨＴＴＰソース信号をクライアントパーソナルコンピュータ３０に返信する。従って、クライアントパーソナルコンピュータ３０のブラウザのソフトウェアから情報処理装置であるディジタル複合装置２０のヘルプファイルを参照することができる。また、ヘルプファイルはクライアントパーソナルコンピュータ３０に記憶しているので、ヘルプファイルのデータが大容量化しても、ディジタル複合装置２０本体の記憶資源を節約できる。
【００３６】
＜変形例＞
以上の実施形態においては、ディジタル複合装置２０の例について述べているが、本発明はこれに限らず、ファクシミリ機能を有するファクシミリ装置やファクシミリサーバ装置などに広く適用することができる。
【００３７】
以上の実施形態においては、ＨＴＴＰサーバ機能を有するディジタル複合装置２０を用いているが、本発明はこれに限らず、ＨＴＴＰに限らず、他の通信手順を用いるサーバ機能を有してもよい。
【図面の簡単な説明】
【００３８】
【図１】本発明に係る実施形態である、コピー、プリンタ及びスキャナー機能付きのファクシミリ装置であるディジタル複合装置２０を備えたＬＡＮシステムの構成を示すブロック図である。
【図２】図１のクライアントパーソナルコンピュータ３０の構成を示すブロック図である。
【図３】図１のディジタル複合装置２０の構成を示すブロック図である。
【図４】図３のＲＡＭ７内のヘルプ情報管理テーブル７ａの一例を示す図である。
【図５】図３のディジタル複合装置２０の主制御部１によって実行されるヘルプ情報表示処理を示すフローチャートである。
【図６】本実施形態においてヘルプファイルを参照することを指示するヘルプボタン１５１を含む指示画面である「送信ダイアログ」のときの画面の一例を示す正面図である。
【図７】本実施形態においてヘルプファイルを参照したときのヘルプファイルの画面の一例を示す正面図である。
【符号の説明】
【００３９】
１…主制御部、
２…画像読取部、
３…画像記録部、
４…表示部、
５…操作部、
６…ＲＯＭ、
７…ＲＡＭ、
７ａ…ヘルプ情報管理テーブル、
７ｂ…メモリボックス管理テーブル、
８…画像メモリ、
８ａ…メモリボックス領域、
９…ハードディスクドライブ、
１０…ファックスモデム、
１１…ＮＣＵ、
１２…ＬＡＮインターフェース、
１３…バス、
２０…ディジタル複合装置、
３０，３０−１乃至３０−Ｎ…クライアントパーソナルコンピュータ、
６０…ルータ装置、
７０…ローカルエリアネットワーク（ＬＡＮ）、
８０…公衆電話網、
９０…インターネット、
１０１…主制御部、
１０４…表示部、
１０５…操作部、
１０６…ＲＯＭ、
１０７…ＲＡＭ、
１０８…ハードディスクドライブ、
１０８ａ…ヘルプファイル、
１０８ｂ…画像データメモリ領域、
１０８ｃ…プログラムメモリ領域、
１１２…ＬＡＮインターフェース、
１１３…バス、
１５１…ヘルプボタン、
１５２…設定ボタン、
１５３…閉じるボタン。
【図１】
2005259003.tif 000003
【図２】
2005259003.tif 000004
【図３】
2005259003.tif 000005
【図４】
2005259003.tif 000006
【図５】
2005259003.tif 000007
【図６】
2005259003.tif 000008
【図７】
2005259003.tif 000009